(57)【要約】【課題】操作性が高く、破損しにくい小型のフレキシブル基板用コネクタを提供することにある。【解決手段】フレキシブル基板を挿入できる開口部１１を備えたハウジング１０と、前記フレキシブル基板の導電部に接触する接触部２２，２７を有し、所定のピッチで前記ハウジング１０内に組み付けられた複数のコンタクト２０，２５と、前記ハウジング１０の開口部１１からスライド可能に挿入され、前記フレキシブル基板の導電部を、前記コンタクト２０，２５の接触部２２，２７に圧接させるスライダー４０と、操作部３１の両側から延在した操作用腕部３２，３２の自由端部を前記スライダー４０の両側に回動可能に支持し、前記スライダー４０を前記ハウジング１０内に引き込む操作レバー３０とからなる。【選択図】図１
2004335360.tif 000002
【特許請求の範囲】
【請求項１】
フレキシブル基板を挿入できる開口部を備えたハウジングと、
前記フレキシブル基板の導電部に接触する接触部を有し、所定のピッチで前記ハウジング内に組み付けられた複数のコンタクトと、
前記ハウジングの開口部からスライド可能に挿入され、前記コンタクトの接触部および前記フレキシブル基板の導電部のうち、いずれか一方を他方に押圧して圧接させるスライダーと、
操作部の両側から延在した操作用腕部の自由端部を前記スライダーの両側に回動可能に支持し、前記ハウジングの表面に沿って前記操作部を引っ張ることにより、前記スライダーを前記ハウジング内に引き込む操作レバーとからなることを特徴とするフレキシブル基板用コネクタ。
【請求項２】
前記操作レバーの操作部の少なくとも一部に、ハウジングの表面に沿って摺接し、かつ、前記スライダーを前記ハウジング内に引き込むテーパ面を設けたことを特徴とする請求項１に記載のフレキシブル基板用コネクタ。
【請求項３】
ハウジングの上面のうち、操作レバーのスライド移動方向の周辺にテーパ面を形成するとともに、前記テーパ面の縁部に、前記操作レバーの操作部に設けた位置規制用凹部に係合する位置規制用爪部を設けたことを特徴とする請求項１または２に記載のフレキシブル基板用コネクタ。
【請求項４】
ハウジングの両側面に、操作レバーの両側腕部の外側に位置し、かつ、抜け止めするガイド用腕部を延在したことを特徴とする請求項１ないし３のいずれか１項に記載のフレキシブル基板用コネクタ。
【請求項５】
作業者が目視できるハウジングの表面のうち、操作前または操作後の操作レバーによって覆われる部分に、目印を設けたことを特徴とする請求項１ないし４のいずれか１項に記載のフレキシブル基板用コネクタ。
【発明の詳細な説明】
【０００１】
【発明の属する技術分野】
本発明はコネクタ、特に、フレキシブル基板用小型コネクタに関する。
【０００２】
【従来の技術】
従来、フレキシブル基板用コネクタとしては、その開口部からスライダーおよびフレキシブル基板を挿入し、チューニングフォーク型コンタクトの接続用ビームと前記スライダーとでフレキシブル基板の導電部を挟持して電気接続を図るスライドタイプのものがある。しかし、前述のコネクタでは、ハウジングにフレキシブル基板を挿入すると、作業者が指で直接触れることができる部分がスライダーの両側縁部だけとなり、非常に狭い。特に、コネクタが小型化すると、狭い操作部分がより一層狭くなり、操作性が著しく低下する。さらに、コネクタが小型化すると、スライダーの水平方向の移動を目視または操作感触で判断することが困難となり、接続作業が完了したか否かを明確に判断できない。このため、接続不良が生じたり、接続が完全に行われていないのではないかという不安感を作業者が持つことになる。このような不具合を解消するものとして、操作レバーを介して前記スライダーをハウジング内にスライド移動させるものがある（例えば、特許文献１参照。）。
【０００３】
【特許文献１】
特開２００２−１７５８４８号公報
【０００４】
【発明が解決しようとする課題】
しかしながら、前述のフレキシブル基板用コネクタは、その操作レバーがハウジングに回動自在に支持されているだけでなく、前記操作レバーの動作は単なる回転動作ではなく、その回動腕部の自由端部に設けたカム面を介して行われる複雑なカム動作である。このため、スライダーに必要な所望の引き込み量を確保しようとすると、操作レバーの回動角度が広角になり、操作しにくい。特に、コネクタが小型化すると、操作レバーも小型化するので、作業者の指で円滑な動作を行わせることが困難となり、作業者が誤って大きな操作力を負荷して破壊するという問題点がある。
【０００５】
本発明は、前記問題点に鑑み、操作性が高く、破損しにくい小型のフレキシブル基板用コネクタを提供することを目的とする。
【０００６】
【課題を解決するための手段】
本発明にかかるコネクタは、前記目的を達成すべく、フレキシブル基板を挿入できる開口部を備えたハウジングと、前記フレキシブル基板の導電部に接触する接触部を有し、所定のピッチで前記ハウジング内に組み付けられた複数のコンタクトと、前記ハウジングの開口部からスライド可能に挿入され、前記コンタクトの接触部および前記フレキシブル基板の導電部のうち、いずれか一方を他方に押圧して圧接させるスライダーと、操作部の両側から延在した操作用腕部の自由端部を前記スライダーの両側に回動可能に支持し、前記ハウジングの表面に沿って前記操作部を引っ張ることにより、前記スライダーを前記ハウジング内に引き込む操作レバーとからなる構成としてある。
【０００７】
本発明によれば、スライダーの両側に操作レバーの両側腕部を回動可能に取り付けてあり、操作レバーの操作部を操作すると、ハウジングの表面に沿って前記操作レバーがスライド移動し、スライダーをハウジング内に引き込む。このため、操作レバーの操作力がスライダに直接伝わるので、大きな操作力を必要とせず、操作性が高い。特に、本発明によれば、操作レバーの両側腕部が単純な回動動作を行うだけであるので、作業者のワンタッチ操作でスライダーをハウジング内に引き込み、フレキシブル基板の導電部とコンタクトの接触部とを圧接させて電気接続できる。このため、操作レバーに複雑な力が作用せず、破壊しにくい小型のフレキシブル基板用コネクタが得られる。
【０００８】
本発明の実施形態としては、前記操作レバーの操作部の少なくとも一部に、ハウジングの表面に沿って摺接し、かつ、前記スライダーを前記ハウジング内に引き込むテーパ面を設けた構成であってもよい。
本実施形態によれば、ハウジングの表面に沿って操作レバーの操作部に設けたテーパ面が摺接するので、円滑な動作特性を有するフレキシブル基板用コネクタが得られる。
【０００９】
本発明の他の実施形態としては、ハウジングの上面のうち、操作レバーのスライド移動方向の周辺にテーパ面を形成するとともに、前記テーパ面の縁部に、前記操作レバーの操作部に設けた位置規制用凹部に係合する位置規制用爪部を設けておいてもよい。
本実施形態によれば、ハウジングに設けたテーパ面に沿って操作レバーを摺動させた後に、操作レバーをハウジングに係合できるので、より一層円滑な動作特性を得られるとともに、操作レバーの自然復帰を阻止し、フレキシブル基板の脱落を防止できる。
【００１０】
本発明の別の実施形態としては、ハウジングの両側面に、操作レバーの両側腕部の外側に位置し、かつ、抜け止めするガイド用腕部を延在した構成であってもよい。
本実施形態によれば、ガイド用腕部が操作レバーの腕部が外方に広がることを規制するので、操作レバーの脱落を防止できる。
【００１１】
本発明の異なる実施形態としては、作業者が目視できるハウジングの表面のうち、操作前または操作後の操作レバーによって覆われる部分に、目印を設けた構成であってもよい。
本実施形態によれば、接続作業が完了したか否かの確認が容易となり、接続不良を防止できるとともに、作業者の不安感を解消できるという効果がある。
【００１２】
【発明の実施の形態】
本発明にかかる実施形態を図１ないし図２７の添付図面に従って説明する。
なお、本実施形態にかかるフレキシブル基板用小型コネクタは、例えば、巾５ｍｍ、長さ１４ｍｍ、高さ１．５ｍｍの外形寸法を有し、フレキシブル基板に０．２ｍｍピッチでプリントした２０本のリード線の導線部を千鳥状に配置することにより、計４０本のリード線の導電部を他の回路基板に中継するものである。
【００１３】
本発明にかかるコネクタの第１実施形態は、図１ないし図１４に示すように、ハウジング１０と、第１コンタクト２０と、第２コンタクト２５と、操作レバー３０と、スライダー４０とで構成されている。
【００１４】
ハウジング１０は、図４Ａ，４Ｂに示すように、その正面に後述するスライダー４０および図示しないフレキシブル基板を挿入できる開口部１１を有するとともに、その両側にスライダー４０の後述するスライド部４２をスライド可能に嵌合するガイド穴１２，１２が形成されている。さらに、前記開口部１１の下方側に第１コンタクト２０を圧入する多数のスリット１３を並設してある。一方、前記ハウジング１０は、その背面に第２コンタクト２５を圧入する多数のスリット１４を並設してあるとともに、その両側に位置規制用爪部１５，１５を突設してある（図４Ｂ）。また、ハウジング１０の両側面には、後述する操作レバー３０の操作用腕部３２，３２をガイドするためのガイド用腕部１６を平行に延在してある。前記ガイド用腕部１６には、位置規制用凹部１６ａが形成されている。
【００１５】
第１コンタクト２０および第２コンタクト２５は、図５に示すように、いずれもリードフレーム２９からプレス加工で打ち抜いて形成したものであり、保持部２１，２６と接触部２２，２７とをそれぞれ有している。
そして、前記ハウジング１０のスリット１３，１４に保持部２１，２６をそれぞれ圧入することにより、前記第１コンタクト２０および前記第２コンタクト２５がハウジング１０内に保持される（図２）。
【００１６】
操作レバー３０は、図６に示すように、操作部３１の両端から操作用腕部３２，３２を平行に延在したものであり、前記操作部３１の下面には断面円弧状のテーパ面３３が形成されているとともに、その内側面に一対の位置規制用凹部３５，３５が設けられている。一方、前記腕部３２，３２の対向面のうち、自由端部に回動支点となる回動軸３６，３６を同一軸心上にそれぞれ突設してあるとともに、その近傍に略方形の位置規制用突部３７，３７をそれぞれ突設してある。
そして、前記ハウジング１０の両側に設けたガイド用腕部１６に沿って前記操作レバー３０の腕部３２を組み付ける（図３）。本実施形態よれば、前記ハウジング１０の両側から延在した位置規制用腕部１６に沿って操作レバー３０を位置決めできるので、小型であっても位置決め作業に手間がかからず、組立作業が容易になる。
【００１７】
スライダー４０は、図７に示すように、その本体部４１の両端からスライド部４２，４２を平行に延在してある。前記本体部４１の上面にはテーパー面４１ａ，４１ｂを介して連続する２段の第１，第２圧接面４３，４４を形成してある。さらに、前記スライド部４２の外側面には、前記操作レバー３０の回動軸３６が係合する円形の係合用凹部４５が形成されている。また、前記スライド部４２の外向面には接続完了を明示するためのストッパー４６が形成されている。
そして、前記スライダー４０のスライド部４２を前記ハウジング１０の開口部１２から挿入すると、図９に示すように、前記スライダー４０の係合用凹部４５に操作レバー３０の回動軸３６が係合する。さらに、位置規制用突部３７がスライダー４０の先端面に当接するとともに、ガイド用腕部１６の凹部１６ａに操作レバー３０の爪部３８が係止する。このため、操作レバー３０が自重で回動することを防止できる。
【００１８】
次に、本実施形態にかかるコネクタの操作方法について説明する。
操作前のコネクタは、図８および図９に示すように、操作レバー３０の爪部３８がハウジング１０の凹部１６ａに係止し、スライダー４０の一部がハウジング１０の開口部１１からはみ出している。
【００１９】
そして、前記スライダー４０の本体部４１の上面に沿って図示しないフレキシブル基板を挿入することにより、フレキシブル基板の導電部が前記本体部４１の上面と第１，第２コンタクト２０，２５の接触部２２，２７との間に位置する。
【００２０】
そして、操作レバー３０の操作部３１を指で引っ張ると、図１０および図１１に示すように、ハウジング１０の表面に沿って操作部３１の円弧状テーパ面３１が摺接しながら移動する。このため、操作レバー３０の突起３８がハウジング１０の凹部１６ａから外れるとともに、スライダー４０がハウジング１０内に引き込まれる。この結果、スライダー４０の第１圧接面４３および第１コンタクト２０の接触部２２、さらに、スライダー４０の第２圧接面４４および第２コンタクト２５の接触部２７が、図示しないフレキシブル基板の導電部の表裏面にそれぞれ圧接する。
【００２１】
さらに、操作レバー３０の操作部３１を指で引っ張ると、ハウジング１０のテーパ面１０ａに沿って操作部３１の断面円弧状テーパ面３３が引き下ろされ、前記回動軸３６を支点として操作レバー３０が回動する。このため、前記操作部３１に設けた凹部３５がハウジング１０の爪部１５に係止し、前記第１圧接面４３および第１コンタクト２０の接触部２２、第２圧接面４４および第２コンタクト２５の接触部２７が、フレキシブル基板の導電部の表裏面を挟持し、接続作業が完了する（図１２，図１３）。このとき、ストッパー４６がハウジング１０の表面縁部に当接するので、その位置を確認することにより、目視によって接続完了を判断できる。
本実施形態では、操作部３１の凹部３５にハウジング１０の爪部１５が係止するので、操作レバー１０が自然に復帰し、スライダー４０がハウジング１０から抜け出ることにより、フレキシブル基板が脱落するということはない。
【００２２】
そして、前記操作レバー３０の操作部３１を引き起こし、ハウジング１０の爪部１５から操作部３１の凹部１５を外し、操作レバー３０を回動させて引き戻すことにより、スライダー４０がハウジング１０から抜け出る。このため、前記スライダー１０の第１圧接面４３および第１コンタクト２０の接触部２２、前記スライダー４０の第２圧接面４４および第２コンタクト２５の接触部２７が、フレキシブル基板の接触部の表裏面からそれぞれ開離するので、ハウジング１０からフレキシブル基板を引き出すことができる。
【００２３】
なお、本実施形態では、図１４Ａ，１４Ｂに示すように、ハウジング１０の上面のうち、動作前の操作レバー３０で被覆される部分、すなわち、図１４Ｂにおいてハッチングで示したテーパ面（目印部）１０ａに梨字模様、あるいは、着色しておいてもよい。これによれば、前記梨字模様等を目視で確認することにより、操作レバー３０による接続作業が完了したことを明確に判断でき、接続不良を防止できるとともに、作業者の不安感を解消できるという利点がある。
【００２４】
本発明にかかるコネクタの第２実施形態は、図１５ないし図２７に示すように、前述の第１実施形態とほぼ同様であり、同一部分には同一番号を附して説明する。
すなわち、コネクタの第２実施形態は、ハウジング１０と、第１コンタクト２０と、第２コンタクト２５と、操作レバー３０と、スライダー４０とで構成されている。
【００２５】
ハウジング１０は、図１８Ａ，１８Ｂに示すように、その正面に後述するスライダー４０および図示しないフレキシブル基板を挿入できる開口部１１を有するとともに、その両側にスライダー４０をガイドするために上下一対のガイド用舌片１７ａ，１７ｂを側方に突設してある。さらに、前記開口部１１の下方側に第１コンタクト２０を圧入する多数のスリット１３を並設してある。一方、前記ハウジング１０は、その背面に第２コンタクト２５を圧入する多数のスリット１４を並設してある。
【００２６】
第１コンタクト２０および第２コンタクト２５は、図１９Ａ，１９Ｂに示すように、第１実施形態と同一であるので、同一部分に同一番号を附して説明を省略する。
【００２７】
操作レバー３０は、図２０に示すように、操作部３１の両端から腕部３２，３２を平行に延在したものであり、前記操作部３１の内向面の両側隅部にはガイド用爪部３１ａが設けられている。一方、前記腕部３２，３２は、その自由端部に回動支点となる円形の切り欠き部３２ａが形成されているとともに、その外側面には位置規制用舌片３２ｂが設けられている。
なお、操作レバー３０の組付作業は、スライダー４０の組付作業後に行うので、後述する。
【００２８】
スライダー４０は、図２１に示すように、その本体部４１の両端からスライド部４２，４２を平行に延在してある。前記本体部４１の上面にはテーパー面４１ａ，４１ｂを介して連続する２段の第１，第２圧接面４３，４４を形成してある。さらに、前記スライド部４２の内側面に沿って形成されたスリット４７には、回動軸４８が突設されている。また、前記スライド部４２の上端面には抜け止め用突起４２ａが形成されている。
そして、前記スライダー４０のスライド部４２をガイド用舌片１７ａ，１７ｂの間に挿通する一方、操作レバー３０の腕部３２を前記スライダー４０のスリット４７に挿入し、前記回動軸４８に前記切り欠き部３２ａを係合することにより、操作レバー３０が回動可能に支持される。
【００２９】
次に、本実施形態にかかるコネクタの操作方法について説明する。
操作前のコネクタは、図２２および図２３に示すように、操作レバー３０の位置規制用舌片３２ｂがスライド部４２の先端面に当接するとともに、操作レバー３０の爪部３１ａがハウジング１０の上面に当接し、スライダー４０の一部がハウジング１０の開口部１１からはみ出している。
【００３０】
そして、前記スライダー４０の上面に沿って図示しないフレキシブル基板を挿入することにより、フレキシブル基板の導電部が前記本体部４１の上面と第１，第２コンタクト２０，２５の接触部２２，２７との間に位置する。
【００３１】
そして、操作レバー３０の操作部３１を指で引っ張ると、図２４および図２５に示すように、ハウジング１０の上面に沿って操作レバー３０が移動し、スライダー４０がハウジング１０内に引き込まれる。このため、スライダー４０の第１圧接部４３および第１コンタクト２０の接触部２２、さらに、スライダー４０の第２圧接部４４および第２コンタクト２５の接触部２７が、フレキシブル基板の導電部の表裏面にそれぞれ圧接する。
【００３２】
さらに、操作レバー３０の操作部３１を引っ張ると、ハウジング１０のテーパ面１０ａに沿って操作部３１の爪部３１ａが引き下ろされ、前記回動軸４８を支点として操作レバー３０が回動する。このため、前記第１圧接部４３および第１コンタクト２０の接触部２２、第２圧接部４４および第２コンタクト２５の接触部２７が、フレキシブル基板の導電部の表裏面を挟持し、接続作業が完了する（図２６，図２７）。
本実施形態では、操作部３１の爪部３１ａがハウジング１０の側端面に圧接するとともに（図２７Ａ）、腕部３２の先端部がスライダ４０の先端面に圧接して保持される（図２７Ｃ）。このため、操作レバー１０が自然に復帰し、スライダー４０がハウジング１０から抜け出ることにより、フレキシブル基板が脱落するということはない。
【００３３】
そして、前記操作レバー３０の操作部３１を引き起こし、操作レバー３０を回動させて引き戻すことにより、スライダー４０がハウジング１０から抜け出る。このため、前記スライダー１０の第１圧接面４３および第１コンタクト２０の接触部２２、前記スライダー４０の第２圧接面４４および第２コンタクト２５の接触部２７が、フレキシブル基板の導電部の表裏面からそれぞれ開離するので、ハウジング１０からフレキシブル基板を引き出すことができる。
【００３４】
なお、本実施形態においても、第１実施形態と同様、ハウジング１０の上面のうち、動作前の操作レバー３０で覆われる部分に、梨字模様、あるいは、着色施すことにより、操作レバー３０による接続作業が完了したことを明確に判断できるようにしてもよい。
【００３５】
また、本発明にかかるコネクタは前述のように小型のものに限らず、より大きいコネクタに適用してもよいことは勿論である。
【００３６】
【発明の効果】
本発明は、スライダーの両側に操作レバーの両側腕部を回動可能に取り付けてあり、操作レバーの操作部を操作すると、ハウジングの表面に沿って前記操作レバーがスライド移動し、スライダーをハウジング内に引き込む。このため、操作レバーの操作力がスライダに直接伝わるので、操作性が高い。特に、本発明によれば、操作レバーの両側腕部が単純な回動動作を行うだけであるので、作業者のワンタッチ操作でスライダーをハウジング内に引き込み、フレキシブル基板の導電部とコンタクトの接触部とを圧接させて電気接続できる。このため、操作レバーに複雑な力が作用せず、破壊しにくい小型のフレキシブル基板用コネクタを提供できるという効果がある。
【図面の簡単な説明】
【図１】本発明にかかるコネクタの第１実施形態を示す分解斜視図である。
【図２】図１で示したコネクタの組立工程を示す分解斜視図である。
【図３】図１で示したコネクタの組立工程を示す分解斜視図である。
【図４】図４Ａ，４Ｂは図１で示したコネクタ本体の異なる角度から見た斜視図である。
【図５】図５Ａ，５Ｂは図１で示した第１，第２接続ピンを示す正面図である。
【図６】図６Ａ，６Ｂは図１で示した操作レバーの異なる角度から見た斜視図である。
【図７】図７Ａ，７Ｂは図１で示したスライダーの異なる角度から見た斜視図である。
【図８】第１実施形態にかかるコネクタの操作前の平面図である。
【図９】図９Ａ，９Ｂ，９Ｃは図８で示したコネクタのＡ−Ａ線、Ｂ−Ｂ線断面図、および、側面図である。
【図１０】第１実施形態にかかるコネクタの操作中の平面図である。
【図１１】図１１Ａ，１１Ｂ，１１Ｃおよび１１Ｄは、図１０で示したコネクタのＡ−Ａ線、Ｂ−Ｂ線、Ｃ−Ｃ線断面図、および、側面図である。
【図１２】第１実施形態にかかるコネクタの操作後の平面図である。
【図１３】図１３Ａ，１３Ｂ，１３Ｃおよび１３Ｄは、図１２で示したコネクタのＡ−Ａ線、Ｂ−Ｂ線、Ｃ−Ｃ線断面図および側面図である。
【図１４】図１４Ａおよび１４Ｂは、第１実施形態の変形例を示す操作前および操作後を示す平面図である。
【図１５】本発明にかかるコネクタの第２実施形態を示す分解斜視図である。
【図１６】図１５で示したコネクタの組立工程を示す分解斜視図である。
【図１７】図１５で示したコネクタの組立工程を示す分解斜視図である。
【図１８】図１８Ａ，１８Ｂは図１５で示したコネクタ本体の異なる角度から見た斜視図である。
【図１９】図１９Ａ，１９Ｂは図１５で示した第１，第２接続ピンを示す正面図である。
【図２０】図２０Ａ，２０Ｂは図１５で示した操作レバーの異なる角度から見た斜視図である。
【図２１】図２１Ａ，２１Ｂは図１５で示したスライダーの異なる角度から見た斜視図である。
【図２２】第２実施形態にかかるコネクタの操作前の平面図である。
【図２３】図２３Ａ，２３Ｂ，２３Ｃは図２２で示したコネクタのＡ−Ａ線、Ｂ−Ｂ線断面図、および、側面図である。
【図２４】第２実施形態にかかるコネクタの操作中の平面図である。
【図２５】図２５Ａ，２５Ｂ，２５Ｃおよび２５Ｄは、図２４で示したコネクタのＡ−Ａ線、Ｂ−Ｂ線、Ｃ−Ｃ線断面図、および、側面図である。
【図２６】第１実施形態にかかるコネクタの操作後の平面図である。
【図２７】図２７Ａ，２７Ｂ，２７Ｃおよび２７Ｄは、図２６で示したコネクタのＡ−Ａ線、Ｂ−Ｂ線、Ｃ−Ｃ線断面図および側面図である。
【符号の説明】
１０…ベース、１０ａ…テーパ面（目印部）、１１…開口部、１２…ガイド穴、１３，１４…スリット、１５…位置規制用爪部、１６…ガイド用腕部、１６ａ…凹部、１７ａ，１７ｂ…ガイド用舌片、２０，２５…第１，第２コンタクト、２１，２６…保持部、２２，２７…接触部、３０…操作レバー、３１…操作部、３１ａ…ガイド用爪部、３２…操作用腕部、３２ａ…切り欠き部、３３…テーパ面、３５…位置規制用凹部、３６…回動軸、３７…位置規制用突部、３８…突起、４０…スライダー、４１…本体部、４２…スライド部、４３，４４…第１，第２圧接面、４５…係合用凹部、４６…ストッパー、４７…スリット、４８…回動軸。
【図１】
2004335360.tif 000003
【図２】
2004335360.tif 000004
【図３】
2004335360.tif 000005
【図４】
2004335360.tif 000006
【図５】
2004335360.tif 000007
【図６】
2004335360.tif 000008
【図７】
2004335360.tif 000009
【図８】
2004335360.tif 000010
【図９】
2004335360.tif 000011
【図１０】
2004335360.tif 000012
【図１１】
2004335360.tif 000013
【図１２】
2004335360.tif 000014
【図１３】
2004335360.tif 000015
【図１４】
2004335360.tif 000016
【図１５】
2004335360.tif 000017
【図１６】
2004335360.tif 000018
【図１７】
2004335360.tif 000019
【図１８】
2004335360.tif 000020
【図１９】
2004335360.tif 000021
【図２０】
2004335360.tif 000022
【図２１】
2004335360.tif 000023
【図２２】
2004335360.tif 000024
【図２３】
2004335360.tif 000025
【図２４】
2004335360.tif 000026
【図２５】
2004335360.tif 000027
【図２６】
2004335360.tif 000028
【図２７】
2004335360.tif 000029